(57)【要約】【課題】低コストで車のネットオークションに係るシステムを構築することを目的とする。【解決手段】車両に係るオークションに参加する側のオークション参加者端末２と、オークションを中継するオークション中継サーバ１とを有するネットオークションシステムであって、オークション中継サーバ１は、オークションに係るデータを圧縮する圧縮手段と、圧縮手段において圧縮されたオークションに係るデータを、オークション参加者端末に伝送する伝送手段とを有し、オークション参加者端末２は、圧縮されたオークションに係るデータをバッファリングするバッファリング手段と、バッファリング手段においてバッファリングされたオークションに係るデータを、定められた時間間隔に基づいて取り出して、復号する復号手段と、復号手段において復号されたオークションに係るデータを再生する再生手段とを有することによって、上記課題を解決する。【選択図】        図１
2005064568.tif 000002
【特許請求の範囲】
【請求項１】
車両に係るオークションに参加する側のオークション参加者端末と、前記オークションを中継するオークション中継サーバとを有するネットオークションシステムであって、
前記オークション中継サーバは、
前記オークションに係るデータを圧縮する圧縮手段と、
前記圧縮手段において圧縮された前記オークションに係るデータを、前記オークション参加者端末に伝送する伝送手段とを有し、
前記オークション参加者端末は、
前記圧縮されたオークションに係るデータをバッファリングするバッファリング手段と、
前記バッファリング手段においてバッファリングされた前記圧縮されたオークションに係るデータを、定められた時間間隔に基づいて取り出して、復号する復号手段と、
前記復号手段において復号された前記オークションに係るデータを再生する再生手段とを有することを特徴とするネットオークションシステム。
【請求項２】
車両に係るオークションに参加する側のオークション参加者端末と、前記オークションを中継するオークション中継サーバとを有するネットオークションシステムにおけるネットオークション方法であって、
前記オークション中継サーバが、
前記オークションに係るデータを圧縮する圧縮段階と、
前記圧縮段階において圧縮された前記オークションに係るデータを、前記オークション参加者端末に伝送する伝送段階とを有し、
前記オークション参加者端末が、
前記圧縮されたオークションに係るデータをバッファリングするバッファリング段階と、
前記バッファリング段階においてバッファリングされた前記圧縮されたオークションに係るデータを、定められた時間間隔に基づいて取り出して、復号する復号段階と、
前記復号段階において復号された前記オークションに係るデータを再生する再生段階とを有することを特徴とするネットオークション方法。
【請求項３】
車両に係るオークションを中継するオークション中継サーバであって、
前記オークションに係るデータを圧縮する圧縮手段と、
前記圧縮手段において圧縮された前記オークションに係るデータを、前記オークションに参加する側のオークション参加者端末に伝送する伝送手段と
を有することを特徴とするオークション中継サーバ。
【請求項４】
車両に係るオークションに参加する側のオークション参加者端末であって、
圧縮された前記オークションに係るデータをバッファリングするバッファリング手段と、
前記バッファリング手段においてバッファリングされた前記圧縮されたオークションに係るデータを、定められた時間間隔に基づいて取り出して、復号する復号手段と、
前記復号手段において復号された前記オークションに係るデータを再生する再生手段と
を有することを特徴とするオークション参加者端末。
【請求項５】
コンピュータに、
車両に係るオークションに係るデータを圧縮する圧縮手順と、
前記圧縮手順において圧縮された前記オークションに係るデータを、前記オークションに参加する側のオークション参加者端末に伝送する伝送手順と
を実行させるためのオークション中継サーバプログラム。
【請求項６】
コンピュータに、
圧縮された、車両に係るオークションに係るデータを、バッファリングするバッファリング手順と、
前記バッファリング手順においてバッファリングされた前記データを、定められた時間間隔に基づいて取り出して、復号する復号手順と、
前記復号手順において復号された前記データを再生する再生手順と
を実行させるためのオークション参加者端末プログラム。
【請求項７】
請求項５記載のオークション中継サーバプログラム又は請求項６記載のオークション参加者端末プログラムを記録したコンピュータ読み取り可能な記録媒体。
【発明の詳細な説明】
【０００１】
【発明の属する技術分野】
本発明は、ネットオークションシステム、ネットオークション方法、オークション中継サーバ、オークション参加者端末、オークション中継サーバプログラム、オークション参加者端末プログラム及び記録媒体に関する。
【０００２】
【従来の技術】
近年、通信衛星等を用いた中古車のオークションシステムが一般的に知られるようになった（例えば、非特許文献１参照。）。
【０００３】
【非特許文献１】
“Ｄｅｌｌ−導入例：日商岩井＆ＵＳＳ”、［ｏｎｌｉｎｅ］、［平成１５年７月２２日検索］、＜ｈｔｔｐ：／／ｗｗｗ．ｄｅｌｌ．ｃｏｍ／ｈｔｍｌ／ｊｐ／ｕｓｅｒｓ／ｎｉｓｓｈｏ＿ｉ．ｈｔｍ＞
【０００４】
【発明が解決しようとする課題】
しかしながら、上記従来の通信衛星を用いた中古車オークションのシステムでは、衛星受信用のパラボラアンテナやチューナの設置等、システムを構築する際の初期投資に多くの費用が掛かる問題があった。
【０００５】
本発明は、上記の点に鑑みなされたもので、低コストで車のネットオークションに係るシステムを構築することを目的とする。
【０００６】
【課題を解決するための手段】
そこで、上記問題を解決するため、本発明は、車両に係るオークションに参加する側のオークション参加者端末と、前記オークションを中継するオークション中継サーバとを有するネットオークションシステムであって、前記オークション中継サーバは、前記オークションに係るデータを圧縮する圧縮手段と、前記圧縮手段において圧縮された前記オークションに係るデータを、前記オークション参加者端末に伝送する伝送手段とを有し、前記オークション参加者端末は、前記圧縮されたオークションに係るデータをバッファリングするバッファリング手段と、前記バッファリング手段においてバッファリングされた前記圧縮されたオークションに係るデータを、定められた時間間隔に基づいて取り出して、復号する復号手段と、前記復号手段において復号された前記オークションに係るデータを再生する再生手段とを有することを特徴とする。
【０００７】
本発明によれば、低コストで車のネットオークションに係るシステムを構築することができる。
【０００８】
また、上記問題を解決するため、本発明は、ネットオークション方法、オークション中継サーバ、オークション参加者端末、オークション中継サーバプログラム、オークション参加者端末プログラム及び記録媒体としてもよい。
【０００９】
【発明の実施の形態】
以下、本発明の実施の形態について図面に基づいて説明する。
【００１０】
図１は、本実施の形態におけるネットオークションシステムの一例を説明するための図である。
【００１１】
図１に示されるように、本実施の形態におけるネットオークションシステムは、オークションに参加する少なくとも１台以上のオークション参加者端末２と、ビデオカメラによって撮影されたオークションにおける音声及び／又は動画像を、ネットワーク５を介してオークション参加者端末２に中継するオークション中継サーバ１とを含む。
【００１２】
オークション中継サーバ１は、ビデオカメラによって撮影されたオークションにおける音声及び／又は動画像を圧縮して、該圧縮した前記オークションにおける音声及び／又は動画像をオークション参加者端末２に伝送する。なお、オークション中継サーバ１は、前記圧縮したオークションにおける音声及び／又は動画像をオークション参加者端末２に伝送する際に、再生タイミングを示すタイムスタンプ（時間間隔）を前記圧縮したオークションにおける音声及び／又は動画像に付加して、オークション参加者端末２に伝送する。なお、以下では圧縮された前記音声及び／又は動画像のデータを単に圧縮データともいう。
【００１３】
一方、オークション参加者端末２は、オークション中継サーバ１より受信した、圧縮データをバッファリングし、圧縮データに付加されているタイムスタンプに基づいて、圧縮データを復号する。
【００１４】
また、オークション参加者端末２は、復号したオークションにおける音声及び／又は動画像を再生する。
【００１５】
以下、オークション中継サーバ１のハードウェア構成を、図２を用いて説明する。図２は、オークション中継サーバのハードウェア構成の一例を説明するための図である。
【００１６】
図２に示されるように、オークション中継サーバ１のハードウェア構成は、それぞれバスで相互に接続されている入力装置２２と、表示装置２３と、ドライブ装置２４と、記録媒体２５と、ハードディスク２６と、メモリ装置２７と、演算処理装置２０と、インタフェース装置２１とを含む。
【００１７】
入力装置２２は、オークション中継サーバ１を操作するためのキーボード及びマウス等で構成され、オークション中継サーバ１に各種操作信号を入力するために用いられる。表示装置２３は、オークション中継サーバ１を操作するのに必要な各種ウィンドウやデータ等を表示する。インタフェース装置２１は、オークション中継サーバ１をネットワーク５に接続するためのインタフェースや他の機器を接続するためのインタフェースであり、例えばＮＩＣ（Ｎｅｔｗｏｒｋ  Ｉｎｔｅｒｆａｃｅ  Ｃａｒｄ）やモデム、ＵＳＢ（Ｕｎｉｖｅｒｓａｌ  Ｓｅｒｉａｌ  Ｂｕｓ）等で構成される。
【００１８】
そして、オークション中継サーバ１を動作させるためのプログラム（以下、オークション中継サーバプログラムともいう）は、ＣＤ−ＲＯＭ等の記録媒体２５によって提供されるか、ネットワーク５を通じてダウンロードされる。また、記録媒体２５は、ドライブ装置２４にセットされ、データやオークション中継サーバプログラムが記録媒体２５からドライブ装置２４を介してハードディスク２６にインストールされる。
【００１９】
ハードディスク２６は、データやオークション中継サーバプログラムを格納すると共に、必要なファイル等を格納する。メモリ装置２７は、オークション中継サーバ１の起動時にハードディスク２６からオークション中継サーバプログラムを読み出して格納する。演算処理装置２０は、メモリ装置２７に読み出され格納されたオークション中継サーバプログラムに従って処理を実行する。
【００２０】
なお、オークション参加者端末２のハードウェア構成も図２に示したオークション中継サーバ１のハードウェア構成と同様である。
【００２１】
以下、オークション中継サーバプログラムの機能構成の一例を、図３を用いて説明する。図３は、オークション中継サーバプログラムの機能構成の一例を説明するための図である。
【００２２】
図３に示されるように、オークション中継サーバプログラムは、圧縮部３０と、タイムスタンプ付加部３１と、伝送部３２とを含む。
【００２３】
圧縮部３０は、ビデオカメラによって撮影されたオークションにおける音声及び／又は動画像を、圧縮する。
【００２４】
タイムスタンプ付加部３１は、圧縮部３０において圧縮された圧縮データに対して再生タイミングを表すタイムスタンプを付加する。なお、タイプスタンプだけでなく、タイムスタンプを含むヘッダ情報を前記圧縮データに付加するようにしてもよい。
【００２５】
伝送部３２は、圧縮部３０において圧縮され、タイムスタンプ付加部３１においてタイムスタンプを付加された圧縮データをパケットとして、ネットワーク５を介してオークション参加者端末２に伝送する。
【００２６】
以下、オークション参加者端末２を動作させるためのプログラム（以下、オークション参加者端末プログラムともいう）の機能構成の一例を、図４を用いて説明する。図４は、オークション参加者端末プログラムの機能構成の一例を説明するための図である。
【００２７】
図４に示されるように、オークション参加者端末プログラムは、バッファリング部４０と、復号部４１と、再生部４２とを含む。
【００２８】
バッファリング部４０は、ネットワーク５を介してオークション中継サーバ１より伝送されてきた前記圧縮データ等を含むパケットを受信し、バッファに蓄積する。
【００２９】
復号部４１は、バッファに蓄積されている前記パケットに含まれるタイムスタンプ等をチェックし、その復号のタイミングに従って、バッファから前記圧縮データを含むパケットを取り出して復号する。
【００３０】
再生部４２は、復号部４１において復号したオークションにおける音声及び／又は動画像を、再生する。
【００３１】
以下、バッファに蓄積されるデータの一例を、図５を用いて説明する。図５は、バッファに蓄積されるデータの一例を説明するための概念図である。
【００３２】
図５に示されるように、オークション参加者端末２のバッファには絶えずネットワーク５を介してオークション中継サーバ１より伝送されたパケットが蓄積される。オークション参加者端末２の復号部４１は、上述したようにバッファに蓄積されている前記パケットに含まれるタイムスタンプ等をチェックし、その復号のタイミングに従って、バッファから前記圧縮データを含むパケットを取り出して復号する。また、オークション参加者端末２の再生部４２は、復号部４１において復号したオークションにおける音声及び／又は動画像を、再生する。
【００３３】
以下、オークション中継サーバ１における処理の一例を、図６を用いて説明する。図６は、オークション中継サーバにおける処理の一例を説明するためのフローチャートである。
【００３４】
ステップＳ１０において、オークション中継サーバ１は、ビデオカメラによって撮影されたオークションにおける音声及び／又は動画像を、圧縮する。
【００３５】
ステップＳ１０に続いてステップＳ１１に進み、オークション中継サーバ１は、ステップＳ１０において圧縮した圧縮データに対して再生タイミングを表すタイムスタンプを付加する。
【００３６】
ステップＳ１１に続いてステップＳ１２に進み、オークション中継サーバ１は、ステップＳ１１においてタイムスタンプを付加した圧縮データをパケットとして、ネットワーク５を介してオークション参加者端末２に伝送する。
【００３７】
図６に示すような処理を行うことによって、オークション中継サーバ１は、オークションにおける音声及び／又は動画像を、ネットワーク５に負荷を掛けること無く、オークション参加者端末２において連続生成可能な形でオークション参加者端末２に伝送することができる。
【００３８】
以下、オークション参加者端末２における処理の一例を、図７を用いて説明する。図７は、オークション参加者端末における処理の一例を説明するためのフローチャートである。
【００３９】
ステップＳ２０においてオークション参加者端末２は、ネットワーク５を介してオークション中継サーバ１より伝送されてきた圧縮データ等を含むパケットを受信する。
【００４０】
ステップＳ２０に続いてステップＳ２１に進み、オークション参加者端末２は、ステップＳ２０において受信した圧縮データ等を含むパケットを図５に示したようにバッファに蓄積する。
【００４１】
ステップＳ２１に続いてステップＳ２２に進み、オークション参加者端末２は、バッファに蓄積された圧縮データに付加されているタイムスタンプをチェックする。
【００４２】
ステップＳ２２に続いてステップＳ２３に進み、オークション参加者端末２は、ステップＳ２１においてチェックしたタイムスタンプに基づいて、その復号のタイミングに従って、バッファから前記圧縮データを含むパケットを取り出して復号する。
【００４３】
ステップＳ２３に続いてステップＳ２４に進み、オークション参加者端末２は、ステップＳ２３において復号したオークションにおける音声及び／又は動画像を、再生する。
【００４４】
図７に示すような処理を繰り返し行うことによって、オークション参加者端末２は、オークションにおける音声及び／又は動画像を安定して連続再生することができる。
【００４５】
以下、オークション中継サーバ１より伝送されたオークションにおける音声及び／又は動画像の一例として、オークション会場の画面に表示された画像をオークション参加者端末２において再生し、オークション参加者端末２のブラウザ等に表示させた一例を、図８を用いて説明する。
【００４６】
図８は、オークション参加者端末のブラウザ等に表示させたオークション会場の画面の一例を説明するための図である。
【００４７】
図８に示される画面には、出品Ｎｏ５０と、スタート価格５１と、車両関連情報５２と、車両写真５３と、現在の価格５５と、次車両情報５６と、車両評価５７とが表示されている。
【００４８】
出品Ｎｏ５０は、車両ごとに一意的に与えられる番号である。スタート価格５１は、オークション開始時の価格である。車両関連情報５２は、年式と車名とグレードを表す。車両写真５３は、車両の写真である。現在の価格５５は、オークション中である現在の価格である。次車両情報５６は、次に出品される車両の情報である。車両評価５７は、車両に対する評価点や傷の具合などを表すものである。
【００４９】
オークション参加者端末２のユーザは、オークション会場の画面に表示されている画像と同じ画像を、オークション参加者端末２のブラウザ等で見ながら、オークションに参加することができる。
【００５０】
【発明の効果】
上述の如く、本発明によれば、低コストで車のネットオークションに係るシステムを構築することができる。
【００５１】
【図面の簡単な説明】
【図１】本実施の形態におけるネットオークションシステムの一例を説明するための図である。
【図２】オークション中継サーバのハードウェア構成の一例を説明するための図である。
【図３】オークション中継サーバプログラムの機能構成の一例を説明するための図である。
【図４】オークション参加者端末プログラムの機能構成の一例を説明するための図である。
【図５】バッファに蓄積されるデータの一例を説明するための概念図である。
【図６】オークション中継サーバにおける処理の一例を説明するためのフローチャートである。
【図７】オークション参加者端末における処理の一例を説明するためのフローチャートである。
【図８】オークション参加者端末のブラウザ等に表示させたオークション会場の画面の一例を説明するための図である。
【符号の説明】
１    オークション中継サーバ
２    オークション参加者端末
５    ネットワーク
２０    演算処理装置
２１    インタフェース装置
２２    入力装置
２３    表示装置
２４    ドライブ装置
２５    記録媒体
２６    ハードディスク
２７    メモリ装置
３０    圧縮部
３１    タイムスタンプ付加部
３２    伝送部
４０    バッファリング部
４１    復号部
４２    再生部
【図１】
2005064568.tif 000003
【図２】
2005064568.tif 000004
【図３】
2005064568.tif 000005
【図４】
2005064568.tif 000006
【図５】
2005064568.tif 000007
【図６】
2005064568.tif 000008
【図７】
2005064568.tif 000009
【図８】
2005064568.tif 000010